(57)【特許請求の範囲】
【請求項１】
給脂部を有するスライダブロックに、給脂路を有する継手を取付ける構造であって、
前記給脂部は、給脂孔を有し、
前記スライダブロックに中継部材が装着され、
前記中継部材は、
前記継手を取付ける継手取付け部と、前記給脂孔に嵌合する突部と、前記突部を貫通して形成されて前記継手が前記継手取付け部に取付けられたときに前記給脂路と一端側で連通し、前記給脂部と他端側で連通する接続路と、を含む導脂部材と、
前記導脂部材を前記スライダブロックに装着させる装着部材と、を有し、
前記導脂部材は、前記装着部材に螺合して前記突部が延びる延長線上に配置された押圧部材の螺入により前記突部と反対の背面側から押圧されて、前記スライダブロックに固定される
ことを特徴とする継手取付け構造。
【請求項２】
請求項１に記載の継手取付け構造で、前記スライダブロックに前記継手が取付けられることを特徴とする直動案内装置。
【請求項３】
前記スライダブロックが複数設けられ、前記中継部材に取付けられた前記継手のそれぞれに対して、潤滑剤を一括的に供給可能な供給装置を有することを特徴とする、請求項２に記載の直動案内装置。
【発明の詳細な説明】
【技術分野】
【０００１】
本発明は、継手取付け構造に関するものであり、特に直動案内装置に潤滑剤を供給する際に用いて好適な継手取付け構造に関するものである。
【背景技術】
【０００２】
軌道レールに沿ってスライダブロックが摺動する直動案内装置においては、スライダブロックに設けられている給脂部を通してその摺動部位へ潤滑剤が供給されることにより、軌道レールとスライダブロックとの摺動を円滑に行うことができる。スライダブロックの給脂部には、通常、グリースニップルと称される給脂路を備えた継手が螺着されており、その継手に外部配管を接続することで、潤滑剤供給装置から潤滑剤が供給される仕組みとなっている。また、直動案内装置が複数台設置されている場合、各直動案内装置の給脂部に取り付けられているグリースニップルを外部配管により一箇所に集約し、潤滑剤供給装置から一括して潤滑剤を供給することで、ローコストで給脂作業の省力化を図る集中給脂と称される方式が取られている場合もある。
【０００３】
近年のメカトロ技術の発展に伴い、直動案内装置について、高精度化、高速化、小型化等が要求されている。特に、スライダブロックの小型化の影響で、その給脂部にグリースニップルを螺着させるねじを切ることができない場合、グリースニップルがそのスライダブロックに螺着できず上記給脂の方式を取ることができないため、潤滑剤を供給する他の方法が必要となっている。
従来、小型の直動案内装置における給脂部は、給脂路を備えない打ち込み式グリースニップルと称される部材で閉塞されており、給脂時に打ち込み式グリースニップルを取り外し、注射器のような構造の潤滑剤供給器等でその給脂部に直接、潤滑剤を供給する方法が採られている。また、潤滑剤含有プレートと称される部材を軌道レールに摺動するようにスライダブロックに取り付けることにより、潤滑剤含有プレートが軌道レールと摺動することによって潤滑剤含有プレートに含まれている潤滑剤が染み出し、軌道レールとスライダブロックとの摺動部位へ潤滑剤を供給する方法が採られている（例えば、特許文献１参照）。
【特許文献１】特開平１１−９３９５２号公報
【発明の開示】
【発明が解決しようとする課題】
【０００４】
しかしながら、上記潤滑剤供給器で直接潤滑剤を供給する方法は、直動案内装置を停止させ、打ち込み式グリースニップルを取り外し、各給脂部へ直接給脂する工程を経るため、給脂作業の時間がかかり、直動案内装置のダウンタイムが増え、作業効率が低下する問題があった。加えて、直動案内装置が複数台設置されている場合、その各給脂部毎に直接給脂する必要があるため、さらに給脂作業の時間がかかる。また、直動案内装置が用いられている機械の構造により、給脂部へのアクセスが困難な問題もある。潤滑剤含有プレートを取り付ける方法は、近年の直動案内装置の小型化等の影響で、直動案内装置によっては潤滑剤含有プレートの規格に適合するものがない場合があるという問題が存在し、また、その苛酷な環境下で使用可能な潤滑剤含有プレートが求められる場合は、その要求に応じて特別に製作してもらう必要があり、コスト面の問題も存在する。
【０００５】
本発明は、上述する問題点に鑑みてなされたもので、小型の直動案内装置における給脂作業の超過による作業効率の低下を抑えるとともにコスト面の改善を図ることを目的とした、直動案内装置に潤滑剤を供給する継手取付け構造を提供する。
【課題を解決するための手段】
【０００６】
上記の課題を解決するために、本発明は、給脂部を有するスライダブロックに、給脂路を有する継手を取付ける構造であって、前記スライダブロックに中継部材が装着され、前記中継部材は、前記継手を取付ける継手取付け部と、前記継手が前記継手取付け部に取付けられたときに前記給脂路と一端側で連通し、前記給脂部と他端側で連通する接続路と、を有するという構造を採用する。
本発明では、給脂部と継手との間を中継する機能を有する中継部材を用いることで、給脂部に直接継手を設置させる必要はなくなり、給脂部の大きさに制約されることなく継手を中継部材に設けることができる。中継部材に取付ける継手には、外部配管が接続可能なグリースニップル等の給脂路を有する継手を用いることが好ましい。また、中継部材の接続路は管状に構成されており、中継部材内を流体が流通することが可能となっている。潤滑剤給脂経路は、継手の給脂路を通り、中継部材の接続路を経て、給脂部へと流入される経路とすることができる。
【０００７】
また、本発明は、前記給脂部は、給脂孔を有し、前記中継部材は、前記給脂孔に嵌合する突部を有し、前記接続路は、前記突部を貫通して形成されているという構造を採用する。
本発明では、給脂部と中継部材との連結にねじ穴等を用いるのが困難な場合でも、給脂孔と中継部材の突部を嵌合させることで容易に連結させ、また、給脂部と接続路とを連通させることができる。さらに、給脂孔と突部が嵌合することでスライダブロックと中継部材との相対位置ずれも防止することができる。
【０００８】
そして、本発明は、前記中継部材は、前記継手取付け部と前記接続路とを有する導脂部材と、前記導脂部材を前記スライダブロックに装着させる装着部材とを有し、前記導脂部材は、前記装着部材に螺合する押圧部材の螺入により押圧されて、前記スライダブロックに固定されるという構造を採用する。
本発明では、装着部材を用いることにより、導脂部材と給脂部とをより確実に連結させることができる。また、本発明では、押圧部材の螺入・螺入解除により、スライダブロックへの導脂部材の固定・固定解除が容易になり、交換も容易になる。また、押圧部材には、導脂部材を押圧することで支持することが可能なボルト等の部材を用いるのが好ましい。
【０００９】
そして、本発明は、前記継手取付け構造で、前記スライダブロックに前記継手が取付けられる構成の直動案内装置を採用する。
本発明では、軌道レールとスライダブロックとから構成される直動案内装置に、上記継手取付け構造を用いることによって、給脂部の大きさに制約されることなく継手を中継部材に設けることができ、外部配管を接続することで供給装置からの潤滑剤の給脂が可能となる。
【００１０】
さらに、本発明は、前記スライダブロックが複数設けられ、前記中継部材に取付けられた前記継手のそれぞれに対して、潤滑剤を一括的に供給可能な供給装置を有する構成の直動案内装置を採用する。
本発明では、直動案内装置は、各スライダブロックに取付けられた中継部材に取付けられた継手を外部配管により一箇所に集約することで、供給装置から一括的に潤滑剤を供給されることが可能となる。ここで、供給装置は、流体を配管に流し込む供給圧力を発生させる装置であることが好ましい。
【発明の効果】
【００１１】
本発明では、小径の給脂部を有するスライダブロックに、給脂路を有する継手を取付ける中継部材が装着され、給脂部と一端側で連通し、継手と他端側で連通するという構造を採用することで、外部配管を接続し供給装置からの潤滑剤の給脂が可能となる。したがって、給脂時に打ち込み式グリースニップルを取り外し、注射器のような構造の潤滑剤供給器等でその給脂部に直接潤滑剤を供給するという工程を省くことができ、給脂作業の超過による作業効率の低下を抑えることができる。また、本発明により、潤滑含有プレートを各直動案内装置に設置するという必要性が減少することから、コスト面の改善を図ることができる。
さらに、本発明では、小径の給脂部を有するスライダブロックに外部配管が接続可能となることから、集中給脂を実現することができる。したがって、小型の直動案内装置が複数設置されている場合でも、各外部配管を一箇所に集約し供給装置から一括して潤滑剤を供給することで、給脂作業による作業効率の低下を更に抑えることができる。
【発明を実施するための最良の形態】
【００１２】
以下、添付図面を参照して本発明の実施形態を説明する。以下の図面において同一の部材には同一の参照符号が付されている。
【００１３】
図１（ａ）に、本発明の実施形態における直動案内装置Ｇの平面図を示し、図１（ｂ）に、その正面図を示す。
直動案内装置Ｇは、軌道レール１と、軌道レール１を跨架した状態で載置されるスライダブロック１１と、中継部材３０とを有している。
【００１４】
軌道レール１は、直線状に設けられ、軌道溝２と、取付孔３とを有している。
軌道レール１は、ベッド、機台、加工台等の取付ベース４上に、配置される。軌道レール１の上面には、取付孔３が、長手方向に隔置して複数個形成されている。軌道レール１は、これら取付孔３にボルトが挿通され、取付ベース４に形成された雌ねじ穴（図示せず）にボルトを螺入することによって、取付ベース４上に固定される。軌道レール１の幅方向両側面には、軌道溝２が、軌道レール１の長手方向に沿って、直線的に形成されている。
【００１５】
スライダブロック１１は、軌道レール１に対して相対移動可能なケーシング１２と、ケーシング１２の両端に各々取り付けられるエンドキャップ１３及びエンドシール１４と、積載部１５と、後述する給脂孔１７ａ、給脂孔１７ｂ及び給脂孔１７ｃから成る給脂部１６とを有している。ケーシング１２、エンドキャップ１３及びエンドシール１４の下部には、軌道レール１を跨架可能にする溝が形成されている。
【００１６】
次に、図２を追加参照し、スライダブロック１１に設けられるケーシング１２、エンドキャップ１３及びエンドシール１４について、詳しく説明する。図２は、視認性向上のため、積載部１５及び中継部材３０を取り外した状態の直動案内装置Ｇの斜視図を示す。
【００１７】
ケーシング１２は、取付穴１８と、摺動部１９と、転動体（図示せず）と、給脂孔１７ａ（図１（ｂ）参照）とを有する。
ケーシング１２の上部には、他の機器、機械部品、把持装置、積載部材等を取り付けるための取付穴１８が形成されている。取付穴１８には、雌ねじが設けられており、積載部１５を積載部取付孔２３を挿通してボルトを螺入することにより、固定可能な構成となっている。ケーシング１２及びエンドキャップ１３と軌道レール１との摺動面には、ケーシング１２及びエンドキャップ１３が軌道レール１に跨って移動可能にさせるような摺動部１９が、軌道レール１の各軌道溝２と互いに対向するように形成されている。ケーシング１２には、ボール等の転動体が、対向する軌道溝２と、摺動部１９とで構成される軌道路内において、負荷を受けつつ転走するように組み込まれている。また、ケーシング１２の移動方向側面には、潤滑剤をケーシング１２内に注入する給脂孔１７ａが設けられている。
【００１８】
エンドキャップ１３側面には、ケーシング１２に設けられた給脂孔１７ａと接続可能な、給脂孔１７ｂ（図１（ｂ）参照）が設けられている。エンドシール１４側面には、エンドキャップ１３に設けられた給脂孔１７ｂと接続可能な、給脂孔１７ｃが設けられている。より詳しくは、ケーシング１２に設けられた給脂孔１７ａ、エンドキャップ１３に設けられた給脂孔１７ｂ及びエンドシール１４に設けられた給脂孔１７ｃが、互いに接続することにより、連通することができる構成となっている。
エンドキャップ１３及びエンドシール１４は、給脂孔１７ｃの両側に設けられた二つの取付孔に挿通するボルトにより、ケーシング１２に固定される。
【００１９】
中継部材３０は、軌道レール１と直交する方向に延びる導脂部材３１と、押圧部材３６を有する装着部材３５とを有する。図３（ａ）に示すように、導脂部材３１は、継手取付け部３２と、接続路３３と、給脂部１６に嵌合する突部３４とを有する。
【００２０】
導脂部材３１の一端側に設けられた継手取付け部３２には、継手４０が螺着可能になるように、雌ねじ穴が設けられている。接続路３３は、継手取付け部３２に一端側で接続され、他端側で突部３４を貫通して設けられている。突部３４は、導脂部材３１に継手取付け部３２が設けられる他端側の先端部側面に、突出されるように設けられている。継手取付け部３２には、給脂路４１を有する継手４０が取り付けられて、給脂路４１が接続路３３と連通し、潤滑剤の流路を形成する。
【００２１】
図３（ｂ）に示す装着部材３５は、装着部材３５の上部両端の二箇所に設けられた取付孔を挿通するボルトによって、積載部１５に螺着される。導脂部材３１は、突部３４とスライダブロック１１に設けられた給脂部１６とを嵌合させ、装着部材３５の下部に螺合する押圧部材３６の螺入により押圧されて、スライダブロック１１に固定される。ここで、図１（ｂ）では、導脂部材３１の突部３４が、給脂部１６の給脂孔１７ｂまで挿入されているが、必ずしも給脂孔１７ｂに挿入されなければならないわけではない。
【００２２】
続いて、本実施形態の直動案内装置Ｇの動作について説明する。
直動案内装置Ｇは、軌道レール１に設けられた軌道溝２と、スライダブロック１１に設けられた摺動部１９とによって、軌道レール１に沿ってガイドされ、軌道溝２と、摺動部１９との間に形成される軌道路を複数の転動体が負荷を受けながら転動することにより、軌道レール１に沿って移動する。その結果、軌道レール１と、スライダブロック１１とが、円滑に相対移動することができる。
また、移動方向に設置されたエンドシール１４により、塵埃等がスライダブロック１１内に入らないように防塵される。
【００２３】
継手４０は、継手４０の径に応じたねじ穴が、導脂部材３１の継手取付け部３２に設けられることにより、導脂部材３１と螺着可能となり、継手４０に設けられた給脂路４１と接続路３３とが連通する事となる。また、給脂路４１は、導脂部材３１の他端に設けられた突部３４を貫通し設けられた接続路３３によって、給脂部１６と連通することができる。
したがって、潤滑剤の流通する給脂経路は、継手４０の給脂路４１を通り、導脂部材３１の接続路３３を経て、給脂部１６へと流入される経路とすることができる。給脂部１６に流入された潤滑剤は、ケーシング１２内を通り、転動体２０が組み込まれている摺動部１９等に供給される。
【００２４】
導脂部材３１の取り付けは、突部３４と、給脂部１６とが嵌合するように設置した後、装着部材３５に螺合する押圧部材３６の螺入により、導脂部材３１を嵌合設置方向に押圧し、スライダブロック１１に固定する。導脂部材３１の取り外しは、押圧部材３６の螺入解除により導脂部材３１への押圧を解除した後、導脂部材３１の突部３４を給脂部１６から引き抜くことで可能となる。
【００２５】
したがって、上述の実施の形態によれば、中継部材３０を用いることにより、給脂部１６の径の大小に制約されずに、継手４０と、給脂部１６とを中継することが可能となる。
【００２６】
また、導脂部材３１は、給脂部１６と、突部３４とが嵌合するように設置するため、小径の給脂部１６と、導脂部材３１との連結にねじ穴等を用いるのが困難な場合でも容易に連結させ、また、嵌合方向と直交する平面上の相対位置ずれを抑えることが可能となる。
また、装着部材３５を用いることにより、導脂部材３１と給脂部１６とをより確実に連結させることができる。さらに、押圧部材３６の螺入・螺入解除により、スライダブロック１１への導脂部材３１の固定・固定解除が容易になり、交換も容易になる。
【００２７】
そして、直動案内装置Ｇは、導脂部材３１に螺着された継手４０に外部配管を接続することにより、供給装置による潤滑剤の供給を受けることが可能となる。さらに、直動案内装置Ｇが複数設けられている場合は、各スライダブロック１１に装着された導脂部材３１を中継して連通する継手４０を外部配管により一箇所に集約することで、供給装置から一括的に潤滑剤を供給されることが可能となる。
【００２８】
すなわち、本実施形態では、小径の給脂部１６を有するスライダブロック１１に、給脂路４１を有する継手４０を取付ける中継部材３０が装着され、給脂部１６と一端側で連通し、継手４０と他端側で連通するという構造を採用することで、外部配管を接続し供給装置からの潤滑剤の給脂を可能とすることができる効果がある。
したがって、本実施形態では、給脂時に打ち込み式グリースニップルを取り外し、注射器のような構造の潤滑剤供給器等でその給脂部１６に、直接潤滑剤を供給するという工程を省くことができ、給脂作業の超過による作業効率の低下を抑えることができる。また、潤滑含有プレートを各直動案内装置Ｇに設置するという必要性が減少することから、コスト面の改善を図ることができる。
さらに、本実施形態では、小径の給脂部１６を有するスライダブロック１１に外部配管が接続可能となることから、集中給脂を実現することができる。したがって、小型の直動案内装置Ｇが複数設置されている場合でも、各外部配管を一箇所に集約し供給装置から一括して潤滑剤を供給することで、給脂作業による作業効率の低下を更に抑えることができる。
【００２９】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３０】
例えば、上記実施形態において、中継部材３０は、導脂部材３１と、押圧部材３６を有する装着部材３５とから構成されると説明した。しかしながら、導脂部材３１と、押圧部材３６を有する装着部材３５とが一体となった中継部材３０を用いても良い。それにより、中継部材の部品数を低く抑えることができる。
【００３１】
また、上記実施形態において、導脂部材３１は、給脂部１６に嵌合する突部３４を有すると説明した。しかしながら、導脂部材３１は、給脂部１６と、接続路３３とが適切に連通することができる構造であればよいため、本発明の導脂部材３１は、給脂部１６に嵌合する突部３４を有する構造に限定されない。
【００３２】
また、上記実施形態において、継手４０は、給脂路４１を有する継手と説明した。しかしながら、継手４０は、既存の規格にある給脂路を有するグリースニップル等を用いても良い。それにより、継手４０を個々に製作するコストを押さえることができる。
【図面の簡単な説明】
【００３３】
【図１】本発明の実施の形態における直動案内装置Ｇの平面図及び側面図である。
【図２】本発明の実施の形態における積載部１５及び中継部材３０を取り外した状態の直動案内装置Ｇの斜視図である。
【図３】本発明の実施の形態における導脂部材３１と、装着部材３５との側面図    である。
【符号の説明】
【００３４】
Ｇ…直動案内装置、１１…スライダブロック、１６…給脂部、１７ａ，１７ｂ，１７ｃ…給脂孔、３０…中継部材、３１…導脂部材、３２…継手取付け部、３３…接続路、３４…突部、３５…装着部材、３６…押圧部材、４０…継手、４１…給脂路
【図１】
0005104504.tif 000002
【図２】
0005104504.tif 000003
【図３】
0005104504.tif 000004